(57)【要約】【課題】保守工数を減らすことができ、反り等の問題が解消され、精度の良い部品を安定して成形することができるとともに、部品単価を下げることができる記録装置を提供すること。【解決手段】印字用紙に印刷を行う印字機構部及びそれらを配設するための筐体とで構成された印字部が下ケースに配設されており、前記印字部の外装を覆うべく外装カバーは、中央カバー、右カバー及び左カバーの３部品により構成され、前記下ケース及び印字部に取り付けられ、前記中央カバー、右カバー及び左カバーの３部品は、記録装置の外観面のうち、少なくともフロント面、リア面、右側面及び左側面の４面を形成している。【選択図】図１
2006159599.tif 000002
【特許請求の範囲】
【請求項１】
印字用紙に印刷を行う印字機構部及びそれらを配設するための筐体とで構成された印字部が下ケースに配設されており、前記印字部の外装を覆うべく外装カバーは、中央カバー、右カバー及び左カバーの３部品により構成され、前記下ケース及び印字部に取り付けられ、前記中央カバー、右カバー及び左カバーの３部品は、記録装置の外観面のうち、少なくともフロント面、リア面、右側面及び左側面の４面を形成していることを特徴とする記録装置。
【請求項２】
前記中央カバーは、記録装置の外装面のフロント面、リア面及び天面を形成しており、前記右カバーは、記録装置の外装面の右側面、フロント面、リア面及び天面を形成しており、前記左カバーは、記録装置の外装面の左側面、フロント面、リア面及び天面を形成していることを特徴とする請求項１記載の記録装置。
【請求項３】
前記中央カバーは、中央部近傍に、ジャム処理可能な大きさの開口を有していることを特徴とする請求項１記載の記録装置。
【発明の詳細な説明】
【技術分野】
【０００１】
発明は、プリンタ、ファクシミリ等の記録装置、特にその外装カバーの構造に関するものである。
【背景技術】
【０００２】
第１の従来技術として、図４に記録装置の構成を表す分解図を示す。
【０００３】
印字部１０１は、印字用紙に印刷を行う印字機構部１０２と、これを配設するための筐体１０３を有する。外装カバー１０４は一体で形成され、前記印字部１０１の外装を覆うべく印字部１０１に取り付けられている。前記外装カバー１０４の上面には開閉カバー１０５が装着されている。このような構成のため、組み立て及び保守時に印字機構部１０２の調整やケーブルの筐体１０３内の這い回しは、常に、外装カバー１０４を取り外して行う必要があった。
【０００４】
又、第２の従来技術として、図５に記録装置の構成を表す分解図を示す。
【０００５】
印字部１０１に対して、４方向の面をそれぞれフロントカバー１０６、左サイドカバー１０７、右サイドカバー１０８、リアカバー１０９で取り付けるようにして覆い、上部を開閉カバー１０５で覆うような構成になっている。これにより、フロントカバー１０６、左サイドカバー１０７、右サイドカバー１０８、リアカバー１０９は、印字部１０１に単独で着脱ができるようになっている。更に、開閉カバー１０５は、リアカバー１０９に開閉可能なようにヒンジで連結されている。
【０００６】
以上のように、各カバーが独立して取り外せる構成にしたことにより、保守作業等において、必要な時に、必要なカバーを外せば良く、保守工数を減らすことができた（例えば特許文献１参照）。
【０００７】
【特許文献１】特開平９−１３１９４６号公報
【発明の開示】
【発明が解決しようとする課題】
【０００８】
しかしながら、上述した従来の技術では以下の問題があった。
【０００９】
即ち、第１の従来技術においては、組み立て及び保守時の印字機構部１０２の調整や、ケーブルの筐体内の這い回しは、常に、外装カバー１０４を外した状態で行わなければならなかった。簡単な調整であっても、印字部１０１の調整箇所を露出させるためには、外装カバー１０４を取り外さなければならず、組み立て、調整、保守工数が嵩んでいた。
【００１０】
更に、外装カバー１０４を一体で形成されているため、外装カバーは、印字機構部１０２の大きさに合わせる必要があった。印字機構部１０２が大きくなることによって、外装カバー１０４が大きくなると、射出成形により成形する場合が多い外装カバーは、成形時に発生する残留応力等により、反りが発生して部品精度が悪くなっていた。又、外装カバー１０４が大きくなると、外装カバーを成形するための成形機が大きくなり、部品単価が高くなるという問題もあった。
【００１１】
又、第２の従来技術においては、カバー類の部品が少なくとも４部品必要であった。カバー類を細かく分割してゆくと、カバーを構成する部品の強度が下がるために、印字部１０１に強度を持たせる構造にしなければならない。印字部１０１に強度を持たせるために、印字部１０１のフレーム構成は複雑となり、記録部１０１の重量が重くなり、更に、コストも高くなるという問題があった。
【００１２】
更に、Ａ４サイズまで印字可能な記録装置と、Ａ３サイズまで印字可能な記録装置を考えた場合、印字部１０１の中で、用紙サイズが変わることで影響を受ける部品は別部品として、その他の部品は、Ａ４、Ａ３機で共通に使用して構成することができる。
【００１３】
一方、外装カバーは、印字部１０１の伸長に影響されない部品、即ち、サイドカバー１０７、サイドカバー１０８の共通化は可能である。しかしながら、印字部１０１の伸長に影響を受けるフロントカバー１０６、リアカバー１０９は共通にすることができない。このように、共通化できない部品が複数あると部品点数が増えるために、コストが嵩んでしまうという問題があった。
【００１４】
本発明は上記問題に鑑みてなされたもので、その目的とする処は、保守工数を減らすことができ、反り等の問題が解消され、精度の良い部品を安定して成形することができるとともに、部品単価を下げることができる記録装置を提供することにある。
【課題を解決するための手段】
【００１５】
上記目的を達成するため、請求項１記載の発明は、印字用紙に印刷を行う印字機構部及びそれらを配設するための筐体とで構成された印字部が下ケースに配設されており、前記印字部の外装を覆うべく外装カバーは、中央カバー、右カバー及び左カバーの３部品により構成され、前記下ケース及び印字部に取り付けられ、前記中央カバー、右カバー及び左カバーの３部品は、記録装置の外観面のうち、少なくともフロント面、リア面、右側面及び左側面の４面を形成していることを特徴とする。
【００１６】
請求項２記載の発明は、請求項１記載の発明において、前記中央カバーは、記録装置の外装面のフロント面、リア面及び天面を形成しており、前記右カバーは、記録装置の外装面の右側面、フロント面、リア面及び天面を形成しており、前記左カバーは、記録装置の外装面の左側面、フロント面、リア面及び天面を形成していることを特徴とする。
【００１７】
請求項３記載の発明は、請求項１記載の発明において、前記中央カバーは、中央部近傍に、ジャム処理可能な大きさの開口を有していることを特徴とする。
【発明の効果】
【００１８】
本発明の外装カバーは、３部品によって構成されている。第１の従来技術のように一体成形した外装カバーと比べると、保守作業をする場合等は、必要なカバーを外すだけで済むので、保守工数を減らすことができる。又、従来、大きい外装カバーを一体で成形していたときに発生していた反り等の問題が解消され、精度の良い部品を安定して成形することができる。更に、カバーを分割することにより、カバーを成形するための成形機のサイズが小さくなるために、部品単価を下げることが可能となる。
【００１９】
又、第２の従来技術では、外装カバーを４部品以上に分割して構成しているために、各部品は、記録装置の外装面のうち１面しか形成することができず、部品の強度が弱いという問題があった。しかしながら、本発明によれば、外装カバーを３部品で構成しているために、各部品が記録装置の外装面のうち、３面以上を有するように形成できた。これにより、外装カバーを分割しても、部品の強度が弱くならず、更に、外装カバーの強度不足による、印字部の部品数の増加等による構成の変更がなくなるために、価格が上がることもない。
【００２０】
更に、Ａ４まで印刷可能な記録装置と、Ａ３まで印刷可能な記録装置を考えた場合、従来は、印字部の伸長に伴って、外装カバーは、２部品以上を新規で作製する必要があった。しかしながら、本発明によれば、１部品（中央カバー）だけを新規作製すれば良くなるために、部品数を減らすことができ、且つ、価格を下げることもできる。
【発明を実施するための最良の形態】
【００２１】
次に、本発明の実施の形態について図面を参照して説明する。
【００２２】
図１は本実施の形態に係る記録装置を示す外観図である。記録装置１は、下ケース２及び中央カバー３、右カバー４、左カバー５により中空体が形成されており、この中空体内部に印字機構部６が固定されている。印字機構部６は、前方右側にインクタンク保持ユニット８、後方中央部分に自動給紙装置９、中央部分にプラテン１０等が配置されている。そして、記録装置１は、プラテン１０上に用紙を搬送して、プラテン１０上で印刷を行う構造である。
【００２３】
次に、図２及び図３を参照して本発明の主要部分である外装カバーの構造を説明する。図２は右カバー４、左カバー５が記録装置１から取り外された状態を示す外観図であり、図３は中央カバー３、右カバー４、左カバー５を記録装置１から取り外した状態を示す背面図である。
【００２４】
中央カバー３は、記録装置１のフロント面５０、リア面５１、天面５２を構成している。このような３面構成にすることにより、中央カバーの強度を保つようにしている。更に、中央カバー３には、フロント面５０近傍にオペレーションパネル（不図視）取り付け部１９、中央部分にジャム処理のための開口７、リア面５１近傍に自動給紙装置９のための開口１１等が設けられている。更に、中央カバー３には、印字機構部６の一部を成しているシャーシ１２との位置決めのためのボス１３，１４、下ケース２とネジ止するためのネジ穴１５，１６、左カバー５とネジ止するためのネジ穴３２、右ケース４、左ケース５と嵌合するためのコの字状の溝１７，１８，３９，４３、下ケース２と嵌合するための爪３７，３８等が設けられている。
【００２５】
又、右カバー４は、記録装置１の右側面５３、フロント面５４、リア面５５、天面５６を構成している。このような４面構成にすることにより、右カバー４の強度を保つようにしている。更に、右カバー４には、インクタンク保持ユニット８が外観面に飛び出るようにするために開口１２が設けられており、又、印字機構部６の一部を成しているシャーシ１２との位置決めのためのボス２０，２１、シャーシ１２とネジ止するためのネジ穴２２、下ケース２とネジ止するためのネジ穴３３、中央カバー３と嵌合するためのリブ２８，４０、下ケース２と嵌合するための爪２９，３０，３１等が設けられている。
【００２６】
又、左カバー５は、記録装置１の左側面５７、フロント面５８、リア面５９、天面６０を構成している。このような４面構成にすることにより、左カバー５の強度を保つようにしている。更に、左カバー５には、印字機構部６の一部をなしているシャーシ１２との位置決めのためのボス２３，２４、中央カバー３とネジ止するためのネジ穴２５、シャーシ１２とネジ止するためのネジ穴２６、中央カバー３と嵌合するためのリブ２７，４１、下ケース２と嵌合するための爪３４，３５，３６等が設けられている。以上のような外装カバーによって、記録装置１の外観面のうち、フロント面、リア面、天面、右側面、左側面の５面を形成している。
【００２７】
次に、中央カバー３、右カバー４、左カバー５と印字機構部６及び下ケース２との取り付け方法について説明する。
【００２８】
先ず、中央カバー３を印字機構部６及び下ケース２へ装着する。上カバー３を装着する場合は、中央カバー３に設けた位置決めボス１３，１４をシャーシ１２に設けた位置決め穴（不図示）へ挿入し、印字機構部６と中央カバー３の位置を決めた後、ネジ穴１６のところで、ネジ３７により下ケース２と締結する。この状態では、中央カバー３に設けた爪３７，３８は、下ケース２に設けた爪（不図視）と嵌合している。
【００２９】
次に、右カバー４若しくは左カバー５を上記で組み上がった装置へ装着する。ここでは、右カバー４を装着してゆくが、本発明では、その限りではなく右カバー４、左カバー５のどちらを装着しても構わない。右カバー４を装着する場合は、右カバー４に設けた位置決めボス２０，２１をシャーシ１２に設けた  位置決め穴４２ともう１つの穴（不図視）へ挿入し、印字機構部６と右カバー４との位置決めを行う。この状態では、右カバー４に設けた爪２９，３０，３１が、下ケース２に設けた爪（不図示）と嵌合している。更に、中央カバー３に設けたコの字形状をした溝１７，３９と右カバー４に設けたリブ２８，４０とが嵌合している。そして、ネジ穴２２，３３のところで、右カバー４とシャーシ１２、下ケース２はネジにより締結される。
【００３０】
次に、左カバー５を上記で組み上がった装置へ装着する。左カバー５を装着する場合は、左カバー５に設けた位置決めボス２３，２４をシャーシ１２に設けた位置決め穴４６，４７へそれぞれ挿入し、印字機構部６と左カバー５との位置決めを行う。この状態では、左カバー５に設けた爪３４，３５，３６が、下ケース２に設けた爪（不図視）と嵌合しており、更に、中央カバー３に設けたコの字状の溝１８，３８と左カバー５の設けたリブ４１とが嵌合している。そして、ネジ穴２５，２６のところで、左カバー５と、シャーシ１２、下ケース２は、ネジにより締結される。
【００３１】
以上のようにして、記録装置１は組み上がり、図１の状態となる。
【図面の簡単な説明】
【００３２】
【図１】本発明にに係る記録装置を示す外観図である。
【図２】右カバー、左カバーが記録装置から取り外された状態を示す外観図である。
【図３】中央カバー、右カバー、左カバーが記録装置から取された状態を示す背面図である。
【図４】第１の従来技術の記録装置の構成を示す分解図である。
【図５】第２の従来技術の記録装置の構成を示す分解図である。
【符号の説明】
【００３３】
１    記録装置
２    下ケース
３    中央カバー
４    右カバー
５    左カバー
６    印字機構部
７    ジャム処理用開口
８    インクタンク保持ユニット
９    自動給紙装置
１０    プラテン
１１    自動給紙装置上部開口
１２    インクタンク保持ユニット開口
１３，１４，２０，２１，２３，２４  ボス
１５，１６，２２，２５，２６，３２，３３  ネジ穴
１７，１８，３９，４３  嵌合溝
１９    オペレーションパネル装着部
２７，４１  左カバーリブ
２８，４０  右カバーリブ
２９，３０，３１  右カバー爪
３４，３５，３６  左カバー爪
３７，３８  中央カバー爪
４２，４６，４７  シャーシ穴
４４，４５，４８，４９  ネジ
５０，５４，５８  フロント面
５１，５５，５９  リア面
５２，５６，６０  天面
５３    右側面
５７    左側面
１０１  印字部
１０２  印字機構部
１０３  筐体
１０４  外装カバー
１０５  開閉カバー
１０６  フロントカバー
１０７  左サイドカバー
１０８  右サイドカバー
１０９  リアカバー
【図１】
2006159599.tif 000003
【図２】
2006159599.tif 000004
【図３】
2006159599.tif 000005
【図４】
2006159599.tif 000006
【図５】
2006159599.tif 000007